【手続補正書】
【提出日】平成27年6月11日(2015.6.11)
【手続補正１】
【補正対象書類名】特許請求の範囲
【補正対象項目名】全文
【補正方法】変更
【補正の内容】
【特許請求の範囲】
【請求項１】
媒体流を加熱するための太陽放射線レシーバ（７）と、前記太陽放射線レシーバからの加熱された媒体流を受け取るように配置されているタービンアセンブリ（１３）とを含み、および、前記タービンアセンブリは発電機（１４）に連結されている、発電プラントにおいて、
燃焼器（８）が、前記太陽放射線レシーバ（７）の下流にかつ前記タービンアセンブリ（１３）の上流に配置されていることと、
圧縮空気出口を有する空気圧縮機ユニット（１０、２８）が、圧縮燃焼空気を前記燃焼器（８）に供給するように配置されていることと、
蒸気発生器（１５）が、前記タービンアセンブリ（１３）からの出口流から熱を取り出すように、かつ、前記太陽放射線レシーバ（７）の媒体流入口とその後に前記燃焼器とに送られる蒸気を発生させるように配置されていることと、
を特徴とするプラント。
【請求項２】
前記太陽放射線レシーバ（７）は第１の場所（４）に位置しているように配置されており、および、前記タービンアセンブリは、前記第１の場所から特定の距離にある第２の場所（６）に位置しているように配置されている請求項１に記載のプラント。
【請求項３】
凝縮器（１６）が前記蒸気発生器の下流に配置されており、および、前記凝縮器によって得られる液状水を、前記蒸気発生器（１５）と、前記太陽放射線レシーバ（７）と、前記空気圧縮機ユニット（１０、２８）の回路と、前記空気圧縮機ユニット（１０、２８）の前記圧縮空気出口とから成るグループの中の１つまたは複数に移送するための手段が配置されている請求項１または２に記載のプラント。
【請求項４】
補助タービンユニット（９）が、前記太陽放射線レシーバの下流にかつ前記タービンアセンブリ（１０）の上流に配置されており、前記補助タービンユニット（９）は、前記空気圧縮機ユニット（１０、２８）および／または補助発電機を駆動する請求項１から３のいずれか一項に記載のプラント。
【請求項５】
前記補助タービンユニット（９）と、前記空気圧縮機ユニット（１０）と、場合によっては、前記補助発電機は、前記太陽放射線レシーバ（７）に隣接した第１の位置に配置されている、請求項２に従属した請求項４に記載のプラント。
【請求項６】
前記燃焼器（８）の上流の圧縮空気を、前記太陽放射線レシーバからの熱伝達のために連結されている少なくとも１つの一次回路を有する熱交換器の二次回路に入れるための、熱伝達のための手段が配置されており、および、前記熱交換器からの出口の後の前記少なくとも１つの一次回路が前記太陽放射線レシーバに再び達する請求項１から５のいずれか一項に記載のプラント。
【請求項７】
前記空気圧縮機ユニット（１０、２８）の中間冷却器回路と前記空気圧縮機ユニット（１０、２８）の前記圧縮空気出口とのいずれか１つから熱を回収する補助蒸気発生手段を含み、および、発生した蒸気を太陽放射線レシーバに移送するための手段が配置されている請求項１から６のいずれか一項に記載のプラント。
【請求項８】
混合手段が、前記媒体流を形成するために、前記太陽放射線レシーバ内で加熱されるべき圧縮空気を蒸気と混合するために配置されている請求項１から７のいずれか一項に記載のプラント。
【請求項９】
１つまたは複数の前記燃焼器（８、８′）の動作に応答して圧縮燃焼空気の発生に関して前記空気圧縮機ユニット（１０、２８）の動作を調節するために、制御ユニットが配置されている請求項１から８のいずれか一項に記載のプラント。
【請求項１０】
発電プラントを運転するための方法であって、太陽放射線レシーバ（７）内で媒体流を加熱することと、この加熱された媒体流をタービンアセンブリ（１３）に送ることとを含み、および、発電機（１４）によって前記タービンアセンブリから電力が取り出される方法において、
前記太陽放射線レシーバ（７）の下流かつ前記タービンアセンブリ（１３）の上流の媒体流が燃焼器（８）内で加熱されることと、
圧縮された燃焼空気が空気圧縮ユニット（１０、２８）内で発生させられ、および、前記圧縮機（８）に供給されることと、
蒸気発生器（１５）によって前記タービンアセンブリ（１３）からの出口流から熱が取り出され、および、発生させられた蒸気が、前記太陽放射線レシーバ（７）の入口に移送され、および、その次に前記燃焼器に移送されることと、
を特徴とする方法。
【請求項１１】
凝縮が前記蒸気発生器の下流で行われ、および、前記凝縮器によって得られた液状水が、前記蒸気発生器（１５）と、前記太陽放射線レシーバ（７）と、空気圧縮機ユニット（１０、２８）の回路と、前記空気圧縮機ユニット（１０、２８）の前記圧縮空気出口とから成るグループの中の１つまたは複数に移送される請求項１０に記載の方法。
【請求項１２】
前記燃焼器（８）の上流において、前記圧縮空気は、前記太陽放射線レシーバからの少なくとも１つの閉じた分岐流と熱交換させられる請求項１０または１１に記載の方法。
【請求項１３】
媒体流を加熱するための太陽放射線レシーバ（７）と、前記太陽放射線レシーバからの加熱された媒体流を受け取るように配置されているタービンアセンブリ（１３）とを含み、および、前記タービンアセンブリは発電機（１４）に連結されている、発電プラントにおいて、
蒸気発生器（１５）が、蒸気発生のために前記タービンアセンブリ（１３）からの出口流から熱を取り出すように、前記タービンアセンブリ（１３）からの出口に連結されていることと、
発生した蒸気を前記太陽放射線レシーバの中に導入するために、前記蒸気発生器（１５）からの蒸気出口が、前記太陽放射線レシーバ（７）の入口に連結されていることと、
を特徴とするプラント。
【請求項１４】
前記太陽放射線レシーバ（７）と、前記補助タービンユニット（９）と、前記補助発電機（１８）は、一体化されたユニットの中に含まれており、前記補助タービンユニット（９）は、前記太陽放射線レシーバ（７）に直接的に連結されている請求項１３に記載のプラント。
【請求項１５】
前記太陽放射線レシーバ（７）と、場合によっては前記補助タービンユニット（９）は、第１の場所（４）に位置するように配置されており、および、前記タービンアセンブリは、前記第１の場所から特定の距離にある第２の場所（６）に位置するように配置されている請求項１３または１４に記載のプラント。
【請求項１６】
太陽放射線レシーバ（７）内で媒体流を加熱することと、この加熱された媒体流をタービンアセンブリ（１３）内で膨張させることと、発電機（１４）内の前記タービンアセンブリからエネルギーを取り出すこととを含む、発電プラント（１）を運転する方法において、
蒸気発生器（１５）によって、前記タービンアセンブリ（１３）からの出口流から、蒸気発生のために熱が取り出されることと、
発生させられた蒸気が、前記蒸気発生器（１５）からの蒸気出口から前記太陽放射線レシーバの入口に導かれる
ことを特徴とする方法。
【請求項１７】
前記レシーバ内に噴霧するために液状水が供給される請求項１６に記載の方法。
【請求項１８】
蒸気発生のための補助熱が、前記蒸気発生器内の燃料燃焼器装置によって提供される請求項１６または１７に記載の方法。
【請求項１９】
前記太陽放射線レシーバからの前記媒体流が、膨張のために補助タービンユニット（９）に送り込まれ、および、前記タービンアセンブリに送り出され、および、補助発電機（１８）によって、前記補助タービンユニット（９）からエネルギーが取り出される請求項１６から１８のいずれか一項に記載の方法。
【請求項２０】
前記蒸気発生器（１５）の下流の凝縮器の中で液状水凝縮物が得られ、および、この得られた水は、蒸気および／または熱水の発生のために前記蒸気発生器（１５）に導かれる請求項１６から１９のいずれか一項に記載の方法。
【請求項２１】
前記太陽放射線レシーバに対する前記蒸気の少なくとも一部分は、前記補助タービンユニットの部品を冷却するために使用される請求項１６から２０のいずれか一項に記載の方法。